(57)【要約】記録媒体ならびに記録媒体を再フォーマットするための方法および装置が開示される。記録媒体を再フォーマットするための方法は、（ａ）複数の記録ユニットにおける記録媒体の複数の物理アクセス制御情報を読み出すステップと、（ｂ）複数の記録ユニットに関連する再フォーマットコマンドを受け取ると、各記録ユニットの初期化プロセスを行うステップとを含み、初期化プロセスは、各記録ユニットに記録された情報の属性に従って異なるように行われる。それゆえ、高密度光ディスクに含まれるＰＡＣ領域は効率的に再フォーマットされる。
2008503850.tif 000002
【特許請求の範囲】
【請求項１】
記録媒体を再フォーマットするための方法であって、
（ａ）複数の記録ユニットにおける記録媒体の複数の物理アクセス制御情報を読み出すステップと、
（ｂ）前記複数の記録ユニットに関連する再フォーマットコマンドを受け取ると、各記録ユニットの初期化プロセスを行うステップと
を備え、
前記初期化プロセスは、各記録ユニットに記録された情報の属性によって異なるように行われることを特徴とする方法。
【請求項２】
前記記録媒体の物理アクセス制御情報は、ＰＡＣ領域に記録されていることを特徴とする請求項１に記載の方法。
【請求項３】
前記記録ユニットは、ＰＡＣクラスタであることを特徴とする請求項２に記載の方法。
【請求項４】
（ｃ）前記ＰＡＣクラスタの属性がプライマリーＰＡＣを示す場合、再フォーマット動作中にＰＡＣ状態情報およびＰＡＣ＿ＩＤ情報を維持するステップをさらに備えることを特徴とする請求項３に記載の方法。
【請求項５】
（ｄ）前記ＰＡＣクラスタの属性がプライマリーＰＡＣを示す場合、再フォーマット動作中にＰＡＣアップデート情報を増加するステップをさらに備えることを特徴とする請求項３に記載の方法。
【請求項６】
（ｅ）前記ＰＡＣクラスタの属性が非プライマリーＰＡＣを示す場合、再フォーマット動作中にＰＡＣ状態情報およびＰＡＣ＿ＩＤ情報を他の情報に変更するステップをさらに備えることを特徴とする請求項３に記載の方法。
【請求項７】
（ｆ）前記再フォーマット動作中に有効なＰＡＣ状態を示す情報を再使用のために利用可能なＰＡＣ状態を示す他の情報に変更するステップをさらに備えることを特徴とする請求項６に記載の方法。
【請求項８】
（ｇ）前記再フォーマット動作中にＰＡＣ＿ＩＤ情報を再使用可能な未使用ＰＡＣクラスタを示す他の情報に変更するステップをさらに備えることを特徴とする請求項６に記載の方法。
【請求項９】
（ｈ）前記再フォーマット動作中に前記非プライマリーＰＡＣクラスタに含まれるすべての情報を初期化するステップをさらに備えることを特徴とする請求項６に記載の方法。
【請求項１０】
記録媒体を再フォーマットするための方法であって、
（ａ）ＰＡＣ領域の各ＰＡＣクラスタに含まれるＰＡＣ＿ＩＤ情報を用いてＰＡＣクラスタのタイプ情報を認識するステップと、
（ｂ）前記ＰＡＣ＿ＩＤ情報が非プライマリーＰＡＣクラスタを示す場合、再フォーマット動作中にＰＡＣ状態情報およびＰＡＣ＿ＩＤ情報を他の情報に変更するステップと、
（ｃ）前記ＰＡＣ＿ＩＤ情報がプライマリーＰＡＣクラスタを示す場合、再フォーマット動作中にＰＡＣ状態情報およびＰＡＣ＿ＩＤ情報を維持するステップと
を備えることを特徴とする方法。
【請求項１１】
記録媒体を再フォーマットするための方法であって、
（ａ）ＰＡＣ領域の各ＰＡＣクラスタに含まれるＰＡＣ＿ＩＤ情報を用いてＰＡＣクラスタのタイプ情報を認識するステップと、
（ｂ）前記ＰＡＣ＿ＩＤ情報が非プライマリーＰＡＣクラスタを示す場合、再フォーマット動作中にＰＡＣ状態情報およびＰＡＣ＿ＩＤ情報を他の情報に変更し、ＰＡＣクラスタに含まれるすべての情報を初期化するステップと、
（ｃ）前記ＰＡＣ＿ＩＤがプライマリーＰＡＣクラスタを示す場合、再フォーマット動作中にＰＡＣ状態情報およびＰＡＣ＿ＩＤ情報を維持するステップと
を備えることを特徴とする方法。
【請求項１２】
（ｄ）前記ＰＡＣ＿ＩＤ情報が前記再フォーマット動作中に非プライマリーＰＡＣクラスタを示す場合、有効なＰＡＣ状態を示す特定の情報を再使用のために利用可能な状態を示す他の情報に変更するステップをさらに備えることを特徴とする請求項１１に記載の方法。
【請求項１３】
（ｅ）前記ＰＡＣ＿ＩＤ情報が前記再フォーマット動作中に非プライマリーＰＡＣクラスタを示す場合、前記ＰＡＣ＿ＩＤ情報を再使用可能な未使用ＰＡＣクラスタを示す他の情報に変更するステップをさらに備えることを特徴とする請求項１１に記載の方法。
【請求項１４】
（ｆ）前記ＰＡＣ＿ＩＤ情報が前記再フォーマット動作中に非プライマリーＰＡＣクラスタを示す場合、前記ＰＡＣクラスタに含まれるすべての情報を所定の初期化値に初期化するステップをさらに備えることを特徴とする請求項１１に記載の方法。
【請求項１５】
記録媒体を再フォーマットするための装置であって、
前記記録媒体を再フォーマットするための要求を発生するための制御部と、
前記制御部から再フォーマット要求を受け取ると、前記記録媒体を再フォーマットし、各ＰＡＣクラスタに含まれるＰＡＣ＿ＩＤ情報を用いてＰＡＣクラスタのタイプ情報を認識し、前記ＰＡＣ＿ＩＤが非プライマリーＰＡＣクラスタを示すとき、再フォーマット動作中にＰＡＣ状態情報およびＰＡＣ＿ＩＤ情報を他の情報に変更し、前記ＰＡＣ＿ＩＤ情報がプライマリーＰＡＣクラスタを示す場合、再フォーマット動作中にＰＡＣ状態情報およびＰＡＣ＿ＩＤ情報を変更することなく維持するための記録再生部と
を備えたことを特徴とする装置。
【請求項１６】
記録媒体を再フォーマットするための装置であって、
記録媒体を再フォーマットするための要求を発生するための制御部と、
前記制御部からの再フォーマット要求を受け取ると、前記記録媒体を再フォーマットし、各ＰＡＣクラスタに含まれるＰＡＣ＿ＩＤ情報を用いてＰＡＣクラスタのタイプ情報を認識し、前記ＰＡＣ＿ＩＤが非プライマリーＰＡＣクラスタを示す場合、再フォーマット動作中にＰＡＣ状態情報、ＰＡＣ＿ＩＤ情報およびＰＡＣクラスタに含まれるすべての情報を初期化し、前記ＰＡＣ＿ＩＤ情報がプライマリーＰＡＣクラスタを示す場合、再フォーマット動作中にＰＡＣ状態情報およびＰＡＣ＿ＩＤ情報を変更することなく維持するための記録再生部と、
を備えたことを特徴とする装置。
【請求項１７】
前記記録再生部は、前記ＰＡＣ＿ＩＤ情報が再フォーマット中に非プライマリーＰＡＣクラスタを示す場合、有効なＰＡＣ状態を示す特定の情報を再使用のために利用可能な状態を示す他の情報に変更することを特徴とする請求項１６に記載の装置。
【請求項１８】
前記記録再生部は、前記ＰＡＣ＿ＩＤ情報が再フォーマット動作中に非プライマリーＰＡＣクラスタを示す場合、前記ＰＡＣ＿ＩＤ情報を再使用可能な未使用ＰＡＣクラスタを示す他の情報に変更することを特徴とする請求項１６に記載の装置。
【請求項１９】
前記記録再生部は、前記ＰＡＣ＿ＩＤ情報が再フォーマット動作中に非プライマリーＰＡＣクラスタを示す場合、前記ＰＡＣクラスタに含まれるすべての情報を所定の初期化値で初期化することを特徴とする請求項１６に記載の装置。
【請求項２０】
データ領域およびリードイン領域を含む光記録媒体として機能する記録媒体であって、
前記データ領域の物理アクセス制御情報が記録された複数の記録ユニットを含む第１の管理領域と、
前記第１の管理領域に含まれる各記録単位の記録状態情報が記録された第２の管理領域と
を含むリードイン領域を備え、
前記第１の管理領域に含まれる複数の記録ユニットは、各記録ユニットに記録された情報の属性情報によって再フォーマットされることを特徴とする記録媒体。
【発明の詳細な説明】
【技術分野】
【０００１】
本発明は、記録媒体ならびに記録媒体を再フォーマット（ｒｅｆｏｒｍａｔｔｉｎｇ）するための方法および装置に関し、より詳しくは、記録媒体に含まれる特定の管理領域を再フォーマットするための方法に関する。
【背景技術】
【０００２】
一般に、大量のデータを記録することが可能な記録媒体として機能する光ディスクが広く使用されている。その中でも、高画質のビデオデータおよび高音質のオーディオデータを長期間記録し格納することができる高密度光記録媒体、例えば、ブルーレイディスク（ＢＤ：Ｂｌｕ−ｒａｙ  Ｄｉｓｃ（登録商標））が新たに開発されている。
【０００３】
次世代記録媒体としてのブルーレイディスク（ＢＤ）は、従来のＤＶＤを遥かに超えるデータを格納することができる次世代光記録ソリューションになると考えられている。最近、ＢＤに関連する国際標準技術仕様が他のデジタルデバイスの標準とともに開発されている。
【０００４】
多くの開発者により、ＢＤの技術標準においてＰＡＣ（Ｐｈｙｓｉｃａｌ  Ａｃｃｅｓｓ  Ｃｏｎｔｒｏｌ）領域の導入について集中的なリサーチが行われたが、ＢＤの技標準はまだ確立されておらず、開発者には完全な光再生装置を開発することの難しさがある。
【発明の開示】
【発明が解決しようとする課題】
【０００５】
したがって、本発明は従来技術の限界および欠点を実質的に取り除く記録媒体、記録媒体を再フォーマットするための方法および装置を対象とする。
【０００６】
本発明の目的は、記録媒体中のＰＡＣ情報を記録し、記録ユニットベースで記録媒体を再フォーマットするための方法および装置を提供することである。
【０００７】
本発明の追加の利点、目的および特徴は、部分的には以下の説明で述べられ、部分的には以下の検討により当業者に明らかとなり、本発明の実施から習得することができる。本発明の目的および他の利点は、記載の説明および特許請求の範囲ならびに添付の図面に特に指摘した構造によって実現し、達成することができる。
【課題を解決するための手段】
【０００８】
これらの目的およびその他の利点を達成するため、および本発明の目的に従って個々に具現され、広く記載されるように、記録媒体を再フォーマットするための方法は、（ａ）記録媒体の複数の物理アクセス制御情報を複数の記録ユニットで読み出すステップと、（ｂ）前記複数の記録ユニットに関連する再フォーマット命令を受信すると、各記録ユニットについて初期化プロセスを行うステップとを含み、前記初期化プロセスは、各記録ユニットに記録された情報の属性に従って異なるように行われる。
【０００９】
本発明の他の態様では、記録媒体を再フォーマットするための方法は、（ａ）ＰＡＣ領域の各ＰＡＣクラスタに含まれるＰＡＣ＿ＩＤ情報を用いてＰＡＣクラスタのタイプ情報を認識するステップと、（ｂ）前記ＰＡＣ＿ＩＤ情報が非プライマリーＰＡＣクラスタを示す場合、再フォーマット動作時にＰＡＣ状態情報およびＰＡＣ＿ＩＤ情報を他の情報に変更するステップと、（ｃ）前記ＰＡＣ＿ＩＤ情報がプライマリーＰＡＣクラスタを示す場合、再フォーマット動作時にＰＡＣ状態情報およびＰＡＣ＿ＩＤ情報を維持するステップとを含む。
【００１０】
本発明の別の態様では、記録媒体を再フォーマットするための方法は、（ａ）ＰＡＣ領域の各ＰＡＣクラスタに含まれるＰＡＣ＿ＩＤ情報を用いてＰＡＣクラスタのタイプ情報を認識するステップと、（ｂ）前記ＰＡＣ＿ＩＤ情報が非プライマリーＰＡＣクラスタを示す場合、再フォーマット動作時にＰＡＣ状態情報およびＰＡＣ＿ＩＤ情報を他の情報に変更し、ＰＡＣクラスタに含まれるすべての情報を初期化するステップと、（ｃ）前記ＰＡＣ＿ＩＤ情報がプライマリーＰＡＣクラスタを示す場合、再フォーマット動作時のＰＡＣ状態情報およびＰＡＣ＿ＩＤ情報を維持するステップとを含む。
【００１１】
本発明の別の態様では、記録媒体を再フォーマットするための装置は、記録媒体を再フォーマットするための要求を発生する制御部と、前記制御部から再フォーマット要求を受け取ると、記録媒体を再フォーマットし、各ＰＡＣクラスタに含まれるＰＡＣ＿ＩＤ情報を用いてＰＡＣクラスタのタイプ情報を認識し、前記ＰＡＣ＿ＩＤ情報が非プライマリーＰＡＣクラスタを示すとき、再フォーマット動作時のＰＡＣ状態情報およびＰＡＣ＿ＩＤ情報を他の情報に変更し、前記ＰＡＣ＿ＩＤ情報がプライマリーＰＡＣクラスタを示すとき、再フォーマット動作時のＰＡＣ状態情報およびＰＡＣ＿ＩＤ情報を変更することなく維持する記録再生部とを含む。
【００１２】
本発明のさらに別の態様では、記録媒体を再フォーマットするための装置は、記録媒体を再フォーマットするための要求を発生する制御部と、前記制御部から再フォーマット要求を受け取ると、記録媒体を再フォーマットし、各ＰＡＣクラスタに含まれるＰＡＣ＿ＩＤ情報を用いてＰＡＣクラスタのタイプ情報を認識し、前記ＰＡＣ＿ＩＤ情報が非プライマリーＰＡＣクラスタを示すとき、再フォーマット動作時のＰＡＣ状態情報、ＰＡＣ＿ＩＤ情報およびＰＡＣクラスタに含まれるすべての情報を初期化し、前記ＰＡＣ＿ＩＤ情報がプライマリーＰＡＣクラスタを示すとき、再フォーマット動作時のＰＡＣ状態情報およびＰＡＣ＿ＩＤ情報を変更することなく維持する記録再生部とを含む。
【００１３】
本発明の前述した一般的な説明と後述する詳細な説明は両方とも、例示であり、説明を目的のものであり、特許請求の範囲に記載された本発明のさらなる説明を提供することを意図していることが理解されるべきである。
【００１４】
本発明のさらなる理解を提供するために含められ、本願に組み込まれ、その一部を構成する添付の図面は、本発明の実施形態を示し、説明と共に本発明の原理を説明する役割を果たす。
【発明を実施するための最良の形態】
【００１５】
以下、本発明の好ましい実施の形態について、詳細に参照することとする。本発明の好ましい実施の形態の例は、添付の図面に示されている。可能な場合には、同一の参照符号は、図面全体を通じて同一または類似の部分を参照するために使用されるであろう。
【００１６】
本発明を説明するのに先立って、本発明で開示される多くの用語は、必要に応じて出願人によって選ばれ、本発明の下記の説明において、以降、開示されることになる。それゆえ、出願人によって定義された用語は、本発明の意味に基づいて理解されることが好ましい。
【００１７】
本発明で使用する記録媒体は、すべての記録可能な媒体を指称し、例えば、光ディスク、磁気ディスク、および磁気テープなどである。
【００１８】
本発明の説明の便宜およびより良い理解のため、本願の上述した記録媒体として、以下、光ディスクを例として使用することとする。
【００１９】
用語「再フォーマット」は、再記録可能な光ディスクのような記録媒体が使用される間に発生した特定の原因により記録媒体のフォーマットを再初期化するプロセスを指称する。特に、記録媒体に記録された古いデータを危険から保護するために、再フォーマット許容条件が与えられたときだけ、再フォーマット動作が行われ、本発明ではまず、再フォーマット許容条件が与えられたことを前提とし、この前提のもとで記録媒体の特定管理領域（例えば、ＰＡＣ領域）を再フォーマットするための方法について開示することとする。
【００２０】
用語「ＰＡＣ」は、記録媒体の物理アクセスを制御するためのプロセスを指称する。例えば、記録媒体に含まれるＰＡＣ領域は、ＰＡＣ関連制御情報が記録された特定の領域を指称し、ＰＡＣクラスタは、ＰＡＣ領域に含まれる単一の記録ユニットを指称し、その詳細な説明は、図１および２を参照して、以下で与えられよう。
【００２１】
図１は、本発明による記録媒体の物理的構造を示している。例えば、記録媒体として機能する光ディスクは、ユーザー定義データを記録するためのデータ領域と、ディスクを管理できる各種の情報を記録するためのリードイン領域とを含む。このリードイン領域は、ディスクの内側の領域に含まれる。
【００２２】
リードイン領域の一端はＰＡＣ領域を含む。ＰＡＣ領域は、複数の記録ユニット、例えば、ｎ個のＰＡＣクラスタ（ＰＡＣクラスタ１〜ＰＡＣクラスタｎ）を含む。
【００２３】
換言すると、単一のＰＡＣクラスタは、各ディスクについてＰＡＣ情報を含む。ＰＡＣクラスタに含まれる詳細な情報については、下記の説明において後述することとする。
【００２４】
図１では、ディスクに含まれる単一のＰＡＣ領域のみが例示的に示されているが、この例は、説明の便宜のために与えられていることに留意すべきである。例えば、記録媒体が２つのＰＡＣ領域を含む場合、同じ情報が２つのＰＡＣ領域に記録され、ＰＡＣ領域に記録された情報が危険からより確実に保護することができる。
【００２５】
一般に、リードイン領域は、ディスクの欠陥および一般的な管理機能を管理するためのＤＭＡ（Ｄｅｆｅｃｔ  Ｍａｎａｇｅｍｅｎｔ  Ａｒｅａ）を含む。このＤＭＡは、その中にＤＤＳ（Ｄｉｓｃ  Ｄｅｆｉｎｉｔｉｏｎ  Ｓｔｒｕｃｔｕｒｅ）を記録する。
【００２６】
上記のＰＡＣ領域に含まれる各ＰＡＣクラスタの状態を示す状態情報は、ＤＤＳに記録される。例えば、２ビットが、各ＰＡＣクラスタの状態情報を示すことができるように、各ＰＡＣクラスタに割り振られる。
【００２７】
例えば、ＰＡＣクラスタの状態情報が所定の番号「００」であれば、このＰＡＣクラスタは、図１の「未記録」によって記されるように未使用のＰＡＣクラスタを示す。ＰＡＣクラスタの状態情報が所定の番号「０１」であれば、このＰＡＣクラスタは、図１の「再使用のために利用可能」によって記されるように、以前に使用されたとしても現在、再使用可能である。ＰＡＣクラスタの状態情報が所定の番号「１０」であれば、このＰＡＣクラスタは、図１の「無効」によって記されるように、無効の情報が記録されている特定のＰＡＣクラスタを示す。ＰＡＣクラスタの状態情報が所定の番号「１１」であれば、このＰＡＣクラスタは、図１の「有効」によって記されるように、現在有効な情報が記録されている特定のＰＡＣクラスタを示す。
【００２８】
したがって、図３に示された光記録再生装置は、ＤＤＳに含まれるＰＡＣクラスタ状態情報を検出することにより、各ＰＡＣ領域に含まれるすべてのＰＡＣクラスタの現在状態情報を認識することができる。
【００２９】
図２は、本発明による記録媒体のＰＡＣクラスタに含まれる情報を示している。図２を参照すると、記録ユニットとして働く１つのクラスタが３２のデータフレームを含む。単一のデータフレームは、２０４８バイトのデータを含む。
【００３０】
より詳しくは、最初のデータフレーム（Ｄａｔａ  Ｆｒａｍｅ  ０）の一部がＰＡＣヘッダー情報として対応するＰＡＣクラスタに関連する一般情報を含む。残りの３１のデータフレーム（データフレーム１〜データフレーム３１）および最初のデータフレーム（データフレーム０）のヘッダー情報以外の残りの領域は、対応するＰＡＣクラスタの固有情報を含む。言うまでもないが、図２に示すように、最後のデータフレーム（データフレーム３１）は、必要に応じて予約領域として残すことができる。
【００３１】
ＰＡＣクラスタに含まれる最初のデータフレーム（データフレーム０）の一部に記録されたＰＡＣヘッダー情報は、対応するＰＡＣクラスタタイプを示す認識情報として使用される。ＰＡＣヘッダー情報は、最初のフィールド「ＰＡＣ＿ＩＤ」、ＰＡＣクラスタのフォーマットバージョン情報を記録するための二番目のフィールド「ＰＡＣフォーマット」および更新回数を記録するための三番目のフィールド「更新カウント」を含む。
【００３２】
最初のフィールド「ＰＡＣ＿ＩＤ」を認識できない光記録再生装置の場合、ＰＡＣヘッダー情報は、ディスクの物理アクセス制御情報を記録するための最初のフィールド「未知のＰＡＣ規則」および二番目のフィールド「未知のＰＡＣＥｎｔｉｒｅ＿Ｄｉｓｃ＿ｆｌａｇｓ」を含み、また、最初のフィールド「未知のＰＡＣ規則」によって制御されるディスクの特定の領域を指定するセグメント情報を含む。特に、ディスクは、必要に応じて最大３２のセグメント情報ユニットを含むことができる。ＰＡＣヘッダー情報は、現在ＰＡＣクラスタに含まれるセグメントの数を示す最初のフィールド「セグメントの数」およびディスクに含まれる各セグメントの位置情報を含む複数のフィールド「Ｓｅｇｅｍｎｔ＿ｉ（ｉ＝０〜３１）」を含む。
【００３３】
フィールド「ＰＡＣ＿ＩＤ」を認識できる光記録再生装置の場合、ＰＡＣヘッダー情報は、制御情報を提供できる所定の「既知のＰＡＣ  Ｅｎｔｉｒｅ＿Ｄｉｓｃ＿ｆｌａｇｓ」を含む。
【００３４】
また、複数のフィールド「ＰＡＣ特定情報」は、対応するＰＡＣクラスタの特定の一般情報およびその制御情報を含む。ＰＡＣクラスタの上述した特定の一般情報および制御情報は、フィールド「ＰＡＣ＿ＩＤ」を認識する光記録再生装置により、ディスク記録再生動作が行われときに参照することができる。
【００３５】
各ＰＡＣクラスタは、図２に示すデータ構造を有しており、上述したフィールドの中で対応するフィールドに含まれるすべてのバイトは、その対応するフィールドが使用されないときは「００ｈ」とするように決められている。それゆえ、「００ｈ」の値は、現在未使用のフィールドを指定することができる。
【００３６】
例えば、上記の対応するＰＡＣクラスタによって管理されるセグメントの数が２である場合、「セグメントの数」は２の値を保持する。フィールド「Ｓｅｇｅｍｎｔ＿０」は、対応するセグメントがディスクにおいて始まる開始アドレスを記録する。フィールド「Ｓｅｇｅｍｎｔ＿１」は、その対応するセグメントが終了される終了アドレスを記録する。残りのフィールド「Ｓｅｇｅｍｎｔ＿２」〜「Ｓｅｇｅｍｎｔ＿３１」のすべてのバイトはそれぞれ「００ｈ」に設定される。このような方法で、複数のフィールド「ＰＡＣ固有情報」の中で未使用のフィールドに含まれるすべてのバイトはそれぞれ「００ｈ」に設定することができる。
【００３７】
特に、フィールド「ＰＡＣ＿ＩＤ」は、本発明にとって重要である。より詳細には、本発明は、様々な再フォーマット動作が個々のＰＡＣクラスタタイプに従って行われることを特徴としている。上述したＰＡＣ＿ＩＤ情報は、対応するＰＡＣクラスタのタイプ情報を決定できる特定の情報として使用される。
【００３８】
本発明は、ＰＡＣクラスタを大きく３つのＰＡＣクラスタタイプに分類する。すなわち、未使用のＰＡＣクラスタを示す未使用ＰＡＣクラスタ、プライマリーＰＡＣクラスタ、および非プライマリークラスタである。より詳細には、１つまたは複数のＰＡＣクラスタは、各ディスクのＰＡＣ領域に強制的に含められなければならず、非プライマリーＰＡＣクラスタは、プライマリーＰＡＣクラスタによって定義されない。
【００３９】
例えば、特定のＰＡＣクラスタにおける３バイトのＰＡＣ＿ＩＤが「ＰＡＣ＿ＩＤ＝００  ００  ００ｈ」によって記される場合、このＰＡＣクラスタは未使用のＰＡＣクラスタを示し、特にもとの未使用のＰＡＣクラスタを示す。３バイトのＰＡＣ＿ＩＤフィールドは「ＰＡＣ＿ＩＤ＝ＦＦ  ＦＦ  ＦＦｈ」によって記される場合、このＰＡＣクラスタは以前使用されたＰＡＣクラスタを示し、特に、図２の「以前使用され、現在未使用のＰＡＣクラスタ」によって記されるように、以前使用され、現在未使用のＰＡＣクラスタを示す。
【００４０】
例えば、３バイトのＰＡＣ＿ＩＤフィールドが「ＰＡＣ＿ＩＤ＝５０  ５２  ４Ｄｈ」によって記されるように標準仕様として所定の特定の値を有する場合、このＰＡＣクラスタはプライマリーＰＡＣクラスタを示す。３バイトのＰＡＣ＿ＩＤフィールドが上述した特定の値とは異なる別の値を有する場合、このＰＡＣクラスタは非プライマリーＰＡＣを示す。
【００４１】
それゆえ、非プライマリーＰＡＣクラスタは、多様なＰＡＣ＿ＩＤ値に設定することができるが、標準仕様として決められた所定の値を使用しなければならない。換言すると、特定の非プライマリーＰＡＣクラスタが標準化されると、対応するＰＡＣ＿ＩＤフィールドは特定の値となるように決定される。したがって、非プライマリーＰＡＣクラスタが標準化される前に製造された光記録再生装置は、非プライマリーＰＡＣクラスタのＰＡＣ＿ＩＤを認識することができない。このように、光記録再生装置が特定のＰＡＣクラスタのＰＡＣ＿ＩＤフィールドを認識できない場合、ディスク再生記録アクセスは、上述したように、ＰＡＣクラスタに含まれるフィールド「未知の規則」に記録された制御スキームによって制御される。
【００４２】
記録媒体を再フォーマットするための方法および装置について、以下、図３〜図５を参照して説明することにする。
【００４３】
図３は、本発明による光記録再生装置を示すブロック図である。図３を参照して、光記録再生装置は主に、記録再生ユニット２０および制御部１２を含む。
【００４４】
記録再生部２０は、光ディスクに記録されたデータおよび管理情報を読み出すためのピックアップ部１１と、ピックアップ部１１を制御するサーボ１４と、ピックアップ部１１から受信された再生信号を希望する信号値に修復するか、記録される信号を光ディスクに記録される信号に変調して、修復または変調された結果をピックアップ部１１に送信するための信号処理部１３と、光ディスクから読み出された管理情報を一時的に格納するためのメモリー１５と、上述した動作を制御するためのマイコン１６とを含む。特に、記録再生部２０のみを構成する製品は「ドライブ」と称される。
【００４５】
制御部１２は、光記録再生装置の全体的な動作を制御するよう適合され、ユーザーとインターフェースすることによってユーザーからコマンドを受信し、受信したコマンドを記録再生部２０に含まれるマイコン１６に送信して、光記録再生装置がユーザーコマンドに関連する動作を行うことができるようにする。特に、制御部１２は、記録再生部２０から受信したディスク管理情報を用いた記録再生コマンドを生成し、記録再生コマンドを記録再生ユニット２０に送信する。
【００４６】
上述した動作に関連して、ＡＶ（オーディオ／ビデオ）デコーダー１７は、最終的に制御部１２からの制御信号を受け取ると出力データを復号し、復号した出力データをユーザーに送信する。ＡＶエンコーダー１８は、制御部１２からの制御信号を受け取ると入力信号をＭＰＥＧ２トランスポートストリームのような特定のフォーマット信号に変換し、特定のフォーマット信号を記録再生ユニット２０に含まれるシグナルプロセッサ１３に送信し、希望する信号が光ディスクに記録できるようにする。
【００４７】
上述した光記録再生装置における本発明による再フォーマット動作について、以下、図４および図５を参照して説明することにする。
【００４８】
ユーザーからのコマンドを受け取ると、制御部１２は、ディスク再フォーマットコマンドを記録再生部２０に送信する。この再フォーマットコマンドは、ディスクに格納されたデータを危険から保護するために厳しい条件下で許容される。本発明は、ディスクが再フォーマットコマンドの実行を許容できることを前提としていることに留意されたい。この再フォーマットコマンドを受信した記録再生部２０は、本発明に関連するＰＡＣ領域を再フォーマットしつつ、図４および図５に示された動作を行う。
【００４９】
図４は、本発明の好ましい実施形態に従ってＰＡＣ領域を再フォーマットするための方法を示すフローチャートである。
【００５０】
図４を参照すると、再フォーマット動作中に、記録再生部２０は、ＰＡＣクラスタのＰＡＣ＿ＩＤ情報を用いてＰＡＣクラスタのタイプ情報を認識する。ＰＡＣ＿ＩＤ情報が非プライマリーＰＡＣクラスタを示す場合、記録再生部２０はＰＡＣ状態情報およびＰＡＣ＿ＩＤ情報を他の情報に変更する。そうでなければ、ＰＡＣ＿ＩＤ情報は、プライマリーＰＡＣクラスタを示す場合、記録再生部２０は、ＰＡＣ状態情報およびＰＡＣ＿ＩＤ情報を変更することなく維持する。
【００５１】
より詳細には、記録再生部２０がステップＳ１０で再フォーマットコマンドを受信する場合、ステップＳ２０でＰＡＣ＿ＩＤ情報を用いてＰＡＣ領域に含まれる各ＰＡＣクラスタのタイプ情報を認識する。
【００５２】
ＰＡＣクラスタのタイプ情報がステップＳ２０で図２の「ＰＡＣ＿ＩＤ＝５０  ５２  ４Ｄｈ」によって記されるようにプライマリーＰＡＣクラスタを示す場合、プライマリーＰＡＣクラスタは、再フォーマット動作が行われた後に残らなければならないＰＡＣクラスタを示す。それゆえ、記録再生部２０は、ステップＳ３０でＤＤＳに記録されたＰＡＣ状態情報およびＰＡＣ＿ＩＤ情報を変更することなく継続して維持しなければならない。しかし、ＰＡＣクラスタに含まれるフィールド「更新カウント」に格納された更新回数は、ステップＳ３０で所定の数１だけ増加される。
【００５３】
ＰＡＣクラスタのタイプ情報がステップＳ２０で図２の「ＰＡＣ＿ＩＤ＝００  ００  ００ｈ」または「ＰＡＣ＿ＩＤ＝ＦＦ  ＦＦ  ＦＦｈ」によって記されるように未使用のＰＡＣクラスタであると判定される場合、ＰＡＣクラスタは、再フォーマット動作が行われた後に残らなければならない。それゆえ、記録再生部２０は、ステップＳ３０でＰＡＣ状態情報およびＰＡＣ＿ＩＤ情報を変更することなく維持しなければならない。
【００５４】
ＰＡＣクラスタのタイプ情報がステップＳ２０で特定の非プライマリーＰＡＣクラスタを示す場合、ＰＡＣクラスタは、再フォーマット動作中に未使用のＰＡＣクラスタに変更されなければならない。したがって、ＤＤＳに含まれる対応するＰＡＣクラスタの状態を示すＰＡＣ状態情報は、ステップＳ５０で有効状態を示す第１のデータ（例えば、「１１ｂ」）から再使用のために利用可能な状態を示す第２のデータ（例えば、「０１ｂ」）に変更される。また、ＰＡＣクラスタに含まれるＰＡＣ＿ＩＤフィールドは、ステップＳ５１で未使用のＰＡＣクラスタを示す「ＰＡＣ＿ＩＤ＝ＦＦ  ＦＦ  ＦＦｈ」によって記される特定の情報に変更されなければならない。この場合、ＰＡＣクラスタに格納されたすべての情報を初期化する必要はなく、再フォーマット動作は、ステップＳ５１でＰＡＣ状態情報およびＰＡＣ＿ＩＤ情報が他の情報に変更されるという条件で完了される。
【００５５】
上述したステップＳ２０〜Ｓ５１は、ステップＳ６０でＰＡＣ領域に含まれるすべてのＰＡＣクラスタに達するまで繰り返される。上述したステップＳ２０〜Ｓ５１があらゆるＰＡＣクラスタタイプについて完了されると、ＰＡＣ領域についての再フォーマット動作も完了される。
【００５６】
図５は、本発明の別の好ましい実施形態に従ってＰＡＣ領域を再フォーマットするための方法を示すフローチャートである。
【００５７】
図５を参照して、再フォーマット動作中に、記録再生部２０は、ＰＡＣクラスタのＰＡＣ＿ＩＤ情報を用いてＰＡＣクラスタのタイプ情報を認識する。ＰＡＣ＿ＩＤ情報が非プライマリーＰＡＣクラスタを示す場合、記録再生部２０はＰＡＣ状態情報およびＰＡＣ＿ＩＤ情報を初期化する。そうでなければ、ＰＡＣ＿ＩＤ情報がプライマリーＰＡＣクラスタを示す場合、記録再生部２０はＰＡＣ状態情報およびＰＡＣ＿ＩＤ情報を変更することなく維持する。
【００５８】
換言すれば、図５に示された第２の好ましい実施形態によれば、非プライマリーＰＡＣクラスタの再フォーマット動作中に、非プライマリーＰＡＣクラスタに含まれるすべての情報が、図４に示された第１の好ましい実施形態と異なり、「００ｈ」または「ＦＦｈ」の値に初期化される。
【００５９】
上記の説明から明らかなように、本発明による記録媒体を再フォーマットするための方法および装置は、記録媒体に含まれる特定の管理領域を効率的に再フォーマットすることができる。
【産業上の利用可能性】
【００６０】
当業者には、本発明の趣旨および範囲から逸脱することなく本発明において様々な修正および変更をなし得ることが明らかであろう。よって、本発明は、添付の特許請求の範囲およびその均等の範囲内に入ることを条件として、本発明の修正および変更形態を網羅することが意図されている。
【図面の簡単な説明】
【００６１】
【図１】本発明による記録媒体の物理的構造を示す図である。
【図２】本発明による記録媒体のＰＡＣクラスタに含まれる情報を示す図である。
【図３】本発明による光記録再生装置を示すブロック図である。
【図４】本発明による記録媒体を再フォーマットするための方法を示すフローチャートである。
【図５】本発明による記録媒体を再フォーマットするための方法を示すフローチャートである。
【図１】
2008503850.tif 000003
【図２】
2008503850.tif 000004
【図３】
2008503850.tif 000005
【図４】
2008503850.tif 000006
【図５】
2008503850.tif 000007
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
記録媒体をフォーマットするための方法であって、
（ａ）記録媒体の複数タイプのアクセス制御情報を読み出すステップと、
（ｂ）前記複数タイプのアクセス制御情報に関連する再フォーマットコマンドを受け取ると、各アクセス制御情報のフォーマット化プロセスを行うステップと
を備え、
前記フォーマット化プロセスは、前記アクセス制御情報のタイプに従って異なるように行われることを特徴とする方法。
【請求項２】
前記記録媒体のアクセス制御情報は、記録媒体の内側の領域に記録されていることを特徴とする請求項１に記載の方法。
【請求項３】
前記アクセス制御情報は、記録ユニットに記録されていることを特徴とする請求項１に記載の方法。
【請求項４】
（ｃ）前記アクセス制御情報のタイプが必須のアクセス制御情報を示す場合、フォーマット化プロセス中に状態情報および識別情報を維持するステップをさらに備えることを特徴とする請求項１に記載の方法。
【請求項５】
前記必須のアクセス制御情報の更新情報は、前記フォーマット化プロセスに従って増加することを特徴とする請求項４に記載の方法。
【請求項６】
（ｅ）前記アクセス制御情報のタイプが必須でないアクセス制御情報を示す場合、フォーマット化プロセス中に前記必須でないアクセス制御情報の状態情報および／または識別情報を他の情報に変更するステップをさらに備えることを特徴とする請求項３に記載の方法。
【請求項７】
前記必須でないアクセス制御情報の複数の状態情報は、再使用可能な状態を示す状態情報に変更されることを特徴とする請求項１に記載の方法。
【請求項８】
前記必須でないアクセス制御情報の識別情報は、記録媒体の再使用可能な未使用領域を示す識別情報に変更されることを特徴とする請求項６に記載の方法。
【請求項９】
前記フォーマット化プロセスは、前記記録媒体のアクセス制御情報のすべてについて行なわれることを特徴とする請求項６に記載の方法。
【請求項１０】
記録媒体を再フォーマットするための方法であって、
（ａ）各アクセス制御情報に含まれる識別情報を用いてアクセス制御情報のタイプ情報を認識するステップと、
（ｂ）前記識別情報が非プライマリーアクセス制御情報を示す場合、再フォーマット動作中に前記非プライマリーアクセス制御情報の状態情報および識別情報を他の情報に変更するステップと、
（ｃ）前記識別情報がプライマリーアクセス制御情報を示す場合、再フォーマット動作中に状態情報および／または識別情報を維持するステップと
を備えることを特徴とする方法。
【請求項１１】
記録媒体を再フォーマットするための方法であって、
（ａ）各アクセス制御情報に含まれる識別情報を用いてアクセス制御情報のタイプ情報を認識するステップと、
（ｂ）前記識別情報が非プライマリーアクセス制御情報を示す場合、前記非プライマリーアクセス制御情報の再フォーマット動作中に状態情報および／または識別情報を他の情報に変更し、前記非プライマリーアクセス制御情報に含まれるすべての情報を初期化するステップと、
（ｃ）前記識別情報がプライマリーアクセス制御情報を示す場合、再フォーマット動作中に状態情報および識別情報を維持するステップと
を備えることを特徴とする方法。
【請求項１２】
前記ステップ（ｂ）において状態情報を変更することは、有効な状態を示す特定の情報を再使用のために利用可能な状態を示す他の情報に変更することであることを特徴とする請求項１１に記載の方法。
【請求項１３】
前記ステップ（ｂ）において状態情報を変更することは、前記識別情報を再使用可能な未使用のアクセス制御情報を示す他の情報に変更することであることを特徴とする請求項１１に記載の方法。
【請求項１４】
（ｄ）前記識別情報が前記再フォーマット動作中に非プライマリーアクセス制御情報を示す場合、前記アクセス制御情報に含まれるすべての情報を所定の初期化値に初期化するステップをさらに備えることを特徴とする請求項１１に記載の方法。
【請求項１５】
記録媒体をフォーマットするための装置であって、
前記記録媒体をフォーマットするための要求を発生するための制御部と、
前記制御部からフォーマット要求を受け取ると、前記記録媒体をフォーマットし、識別情報を用いてアクセス制御情報のタイプ情報を認識し、前記識別情報が必須でないアクセス制御情報を示すとき、フォーマット動作中に前記アクセス制御情報の状態情報および／または識別情報を他の情報に変更し、前記識別情報が必須のアクセス制御情報を示す場合、再フォーマット動作中に状態情報および識別情報を変更することなく維持するための記録再生部と
を備えたことを特徴とする装置。
【請求項１６】
記録媒体をフォーマットするための装置であって、
記録媒体をフォーマットするための要求を発生するための制御部と、
前記制御部からのフォーマット要求を受け取ると、前記記録媒体をフォーマットし、識別情報を用いてアクセス制御情報のタイプ情報を認識し、前記識別情報が必須でないアクセス制御情報を示す場合、フォーマット動作中にアクセス制御情報の状態情報および／または識別情報、および前記アクセス制御情報に含まれるすべての情報を初期化し、前記識別情報が必須のアクセス制御情報を示す場合、フォーマット動作中に状態情報および識別情報を変更することなく維持するための記録再生部と、
を備えたことを特徴とする装置。
【請求項１７】
前記記録再生部は、前記識別情報がフォーマット動作中に必須でないアクセス制御情報を示す場合、有効な状態を示す特定の情報を再使用のために利用可能な状態を示す他の情報に変更することを特徴とする請求項１６に記載の装置。
【請求項１８】
前記記録再生部は、前記識別情報が再フォーマット動作中に必須でないアクセス制御情報を示す場合、前記識別情報を再使用可能な未使用アクセス制御情報を示す他の情報に変更することを特徴とする請求項１６に記載の装置。
【請求項１９】
前記記録再生部は、前記識別情報がフォーマット動作中に必須でないアクセス制御情報を示す場合、前記アクセス制御情報に含まれるすべての情報を所定の初期化値に初期化することを特徴とする請求項１６に記載の装置。
【請求項２０】
記録媒体であって、
複数のタイプのアクセス制御情報ユニットを格納するためのアクセス制御情報領域と、
前記アクセス制御情報領域に格納された各アクセス制御情報領域の状態情報を格納するための状態情報領域と
を備え、
前記アクセス制御情報は、前記アクセス制御情報のタイプに従って異なるようにフォーマットされることを特徴とする記録媒体。
【請求項２１】
前記アクセス制御情報のそれぞれは、前記アクセス制御情報のタイプを分類する識別データを含むことを特徴とする請求項２０に記載の記録媒体。
【請求項２２】
前記アクセス制御情報領域は、第１および第２のアクセス制御情報ユニットを含み、第１のアクセス制御情報ユニットは前記記録媒体のフォーマット化に従って更新され、第２のアクセス制御情報ユニットは前記記録媒体のフォーマット化に従って再使用可能なユニットに変更されることを特徴とする請求項２０に記載の記録媒体。
【請求項２３】
前記第１のアクセス制御情報ユニットの状態情報は、維持され、前記第２のアクセス制御情報ユニットの状態情報は、変更されることを特徴とする請求項２２に記載の記録媒体。
【請求項２４】
前記第２のアクセス制御情報ユニットの変更された状態情報は、再使用のために利用可能な状態を示すことを特徴とする請求項２３に記載の記録媒体。
【請求項２５】
前記アクセス制御情報のそれぞれは、前記アクセス制御情報のタイプを分類する識別データを含み、前記第２のアクセス制御情報ユニットの識別データのみが変更されることを特徴とする請求項２２に記載の記録媒体。
【請求項２６】
前記第２のアクセス制御情報ユニットの前記変更された識別データは、００ｈまたはＦＦｈであることを特徴とする請求項２５に記載の記録媒体。
【請求項２７】
記録媒体であって、
前記記録媒体のフォーマット化に従って更新される第１のアクセス制御情報を含む第１のアクセス制御情報領域と、
前記記録媒体のフォーマット化に従って再使用可能な第２のアクセス制御情報領域と
を備えたことを特徴とする記録媒体。
【請求項２８】
前記第１のアクセス制御情報は、更新回数を示す更新カウントを含むことを特徴とする請求項２７に記載の記録媒体。
【国際調査報告】
2008503850.tif 000008
2008503850.tif 000009
2008503850.tif 000010